(57)【要約】  【課題】植栽部を壁面の上端部に設置し、下垂植物のラインを活かして壁面を上部から覆う方法だと、例え蔓植物の中で気根を有する植物であっても気根が生じにくく、壁面に不安定に垂れ下がるため、建造物壁面の高層部等では強風や豪雨等により植物が揺動し、激しく煽られることによって葉や茎が脱落又は切断され、植物の生長及び維持管理が困難であった。  【解決手段】本発明にかかる下垂緑化用材は、取付部(1)と、該取付部(1)の面(P1)と角度をなす面(P2)上に位置する囲い込み部(2)を備えている。該取付部(1)は緑化面(G)に対する取付用である。該囲い込み部(2)はその外部に誘導エリア(21)を有する。該誘導エリア(21)は広幅の受け口(22)と狭幅のネック部(23)を有する漏斗断面の平面形状をしている。そして、該囲い込み部(2)内は該誘導エリア(21)と連通している。  【選択図】  図１
2010075053.tif 000002
【特許請求の範囲】
【請求項１】
取付部(1)と、該取付部(1)の面(P1)と角度をなす面(P2)上に位置する囲い込み部(2)を備え、
該取付部(1)は緑化面(G)に対する取付用で、
該囲い込み部(2)はその外部に誘導エリア(21)を有し、
該誘導エリア(21)は広幅の受け口(22)と狭幅のネック部(23)を有する漏斗断面の平面形状で、
該囲い込み部(2)内は該誘導エリア(21)と連通している
ことを特長とする下垂緑化用材。
【請求項２】
該取付部(1)と該囲い込み部(2)は線材(3)で一連に構成されており、該取付部(1)は一端の変向部(11)で繋がった対称配置の並行の直線部(12)を含み、該囲い込み部(2)は相対する一対の閉鎖形状部(2a)を包含している請求項１に記載の下垂緑化用材。
【請求項３】
該取付部(1)は、該面(P1)上で現出している二次元の波形部(13)である請求項１に記載の下垂緑化用材。
【請求項４】
該直線部(12)は、緑化面(G)が基盤(G’)の一面に複数の縦線材(4)と横線材(5)で格子体(6)を形成させたものの場合、隣り合う横線材(5)間に架設可能の長さを有し、該変向部(11)に該縦線材(4)をその裏側から跨架させるための傾斜部(14)を備えている請求項２に記載の下垂緑化用材。
【請求項５】
該縦線材(4)と該横線材(5)の少なくても一方は波形で、該縦線材(4)と該横線材(5)は該一方の線材の波頭部(Ｗ)において交差部(7)を有している請求項４に記載の下垂緑化用材。
【請求項６】
該交差部(7)に、該直線部(12)、該横線材(5)及び該縦線材(4)を密接に抑止する抑え部材(8)が配設されている請求項５に記載の下垂緑化用材。
【請求項７】
該抑え部材(8)は線材(81)でＵ字状に構成され、一端に該縦線材(4)と該取付部(1)を跨ぐループ(82)を備え、中間に該横線材(5)を潜る屈曲部(83)を備え、他端部は該囲い込み部(2)の下位に伸び、一方の線材部(84)は端部に該縦線材(4)に対する弾接部(85)を備えている請求項６に記載の下垂緑化用材。
【発明の詳細な説明】
【技術分野】
【０００１】
本発明は、のり面や建造物壁面を緑化するために使用される下垂緑化用材に関するものである。
【背景技術】
【０００２】
近年、地球温暖化やヒートアイランド現象等の環境問題を背景に、建造物壁面やのり面を緑化する活動に関心が高まっている。この手段として、特開２００６−７５００９号公報に開示された「緑化パネル」がある。この緑化パネルは、建造物壁面に並設された登攀助材の表面に横線材と直状線材から成る格子が形成されており、蔓植物が登攀間隔を保ちながら登攀助材に付着根を張って繁殖し、更に格子によって剥離落下を防ぐという、主に植物の登攀を促進する作用がある。更に下垂植物を対象とした壁面緑化装置として特開２００１−７３４９６公報に開示された「塀の緑化装置」などがある。
【特許文献１】特開２００６−７５００９号公報
【特許文献２】特開２００１−７３４９６号公報
【発明の開示】
【発明が解決しようとする課題】
【０００３】
しかしながら、上記特許文献１の緑化パネルは登攀助材の表面に縦横の線材を配置して格子を形成しているため製造に手間が係り、植物の登攀を支援することを目的としているため、植物を育成する植栽部が壁面又はのり面の起立部の根元部分に位置せねばならず、繁華街や建物の密集した地域等ではその育成部を設置する面積を確保することが難しい場合があった。又、壁面をカバーする植物に登攀性が求められる等、植栽する植物の種類が限定されていた。
【０００４】
又、上記特許文献２の壁面緑化装置のように、植栽部を壁面の上端部に設置し、下垂植物のラインを活かして壁面を上部から覆う方法もあるが、例え蔓植物の中で気根を有する植物であっても、下垂される場合には気根が生じにくい特性があり、壁面に気根が吸着することなく不安定に垂れ下がっている状態となり易い。建造物壁面の高層部等では強風や豪雨等により植物が揺動し、激しく煽られることによって葉や茎が脱落又は切断され、植物の生長及び維持管理が困難であった。
【０００５】
そこで本発明は、簡単に壁面設置ができ、囲い込み部に下垂植物を囲うことでその揺動を防止する下垂緑化用材を提供することを目的とする。
【課題を解決するための手段】
【０００６】
（請求項１）本発明に係る下垂緑化用材は、取付部と、該取付部の面と角度をなす面上に位置する囲い込み部を備えている。該取付部は緑化面に対する取付け用である。該囲い込み部はその外部に誘導エリアを有する。該誘導エリアは広幅の受け口と狭幅のネック部を有する漏斗断面の平面形状である。そして、該囲い込み部内は該誘導エリアと連通している。
【０００７】
取付部を緑化面に取付けるのには種々のやり方がある。一例を挙げると、緑化面にアンカーボルトを埋設し、その先端の雄ねじ部を緑化面から外方向へ突出させておく。取付部にボルトの挿通孔がある場合はこれにボルトを挿通してナットで締め付ける。取付部の回動を阻止する必要がある場合は、取付部を跨ぐコ字形枠板を採用し、ナットで共締めする。ボルトを挿通する部分がボルトに対する規制のない空間のため取付部が回動及び平行移動の双方をする恐れがある場合にも、このコ字形枠板を使用できる。
【０００８】
取付部を緑化面に取付けると、囲い込み部が緑化面から前方へ突き出る。下垂植物は緑化面に沿って垂下して来るが、この下垂緑化用材に到達すると、囲い込み部に誘導エリアがあるため、下垂植物は自然に、又は風圧等を受けてネック部方向へ誘導され、ネック部を通って囲い込み部に入り込む。一旦囲い込み部に入った下垂植物は、ネック部があるため再び囲い込み部から外部へ揺れ出ることはほとんどない。
【０００９】
（請求項２）該取付部と該囲い込み部は線材で一連に構成されており、該取付部は一端の変向部で繋がった対称配置の並行の直線部を含み、該囲い込み部は相対する一対の閉鎖形状部を包含していてもよい。
こうすると、取付部と該囲い込み部を一本の線材の折り曲げ加工で形成でき、製作が容易で、緑化面に取付部を取付ける際、並行の直線部で緑化面に相対するので、安定性が良好で、下垂植物は該囲い込み部(2)の相対する一対の閉鎖形状部(2a)の何れに入っても脱出を阻止できる。
【００１０】
（請求項３）該取付部は、該面上で現出している二次元の波形部であってもよい。
こうすると、取付部の緑化面に対する接合は波形部の呈する波形面による面接合となるので極めて安定し、緑化面に波形部の数に応じたフックを埋設しておけば、波形部をこのフックに引っ掛けるだけで取付部を緑化面に取付けられる。
【００１１】
（請求項４）該直線部は、緑化面が基盤の一面に複数の縦線材と横線材で格子体を形成させたものの場合、隣り合う横線材間に架設可能の長さを有し、該変向部に該縦線材を跨架させるための傾斜部を備えていてもよい。以下全文で、縦線材と横線材という表現は、基盤面に対する配置状態を基準にしており、基盤面がその面上で９０°回転した場合は縦横が入れ替わることは明らかである。
こうすると、直線部は上下の横線材間に安定して架設され、傾斜部により縦線材の背面側から縦線材を跨がせるので縦線材に対する取付けも確実で、下垂緑化材を格子体に安定して配置できる。
【００１２】
（請求項５）該縦線材と該横線材の少なくとも一方は波形で、該縦線材と該横線材は該一方の線材の波頭部において交差部を有していてもよい。
こうすると、波頭部を緑化面から起立させた状態に該一方の線材を配置すれば、緑化面と波頭部間に隙間が出来るので、一般に壁面との間に隙間を保って生育する下垂植物に対し、その誘導エリアを生育通路に提供でき、かつ後付けが可能となる。
【００１３】
（請求項６）該交差部に、該直線部、該横線材及び該縦線材を密接に抑止する抑え部材が配設されていてもよい。
こうすると、下垂緑化用材の緑化面に設けられている格子体に対する配置が確実となり、風圧を受けても下垂緑化用材が格子体から外れる恐れが少なくなる。
【００１４】
（請求項７）該抑え部材は線材でＵ字状に構成され、一端に該縦線材と該取付部を跨ぐループを備え、中間に該横線材を潜る屈曲部を備え、他端部は該囲い込み部の下位に伸び、一方の線材部は端部に該縦線材に対する弾接部を備えていてもよい。
こうすると、該屈曲部が該交差部で該横線材の該緑化面側を抱え込み、ループと弾接部が該緑化面側と反対側で該縦線材を弾発的に押さえ込むので、下垂緑化用材は確実に交差部に抑えられ、緑化面から脱落することがない。
【発明の効果】
【００１５】
本発明に係る下垂緑化用材によれば、取付部を緑化面に取付けるだけで囲い込み部を緑化面から前方へ突き出すことができ、緑化面に沿って垂下して来た植物はこの下垂緑化用材に到達すると、囲い込み部を跨ぐように緑化面から多少離れて垂れ下がって行くが、誘導エリアがあるため自然に、又は風圧を受けてネック部方向へ誘導され、このネック部を通って囲い込み部に導入される。そして、一旦囲い込み部に入った下垂植物はネック部によりその脱出を阻止される。
【００１６】
請求項２によれば、該取付部と該囲い込み部は線材で一連に構成されているので、取付部と該囲い込み部を一本の線材の折り曲げ加工で形成でき、製作が容易で、該取付部は、一端の変向部で繋がった対称配置の並行の直線部で構成されているので、緑化面に取付部を取付ける際、相対する一対の並行の直線部で緑化面に相対し、安定性が良好で、囲い込み部は相対する一対の閉鎖形状部を包含しているので、下垂植物は何れの閉鎖形状部に入っても脱出を阻止できる。
【００１７】
請求項３によれば、該取付部は、該面上で現出している二次元の波形部であるので、取付部の緑化面に対する接合は波形部の呈する波形面による面接合となるので極めて安定し、緑化面に波形部の数に応じたフックを埋設しておけば、波形部をこのフックに引っ掛けるだけで取付部を緑化面に取付けられる。
【００１８】
請求項４によれば、該直線部は、緑化面が基盤の一面に複数の縦線材と横線材で格子体を形成させたものの場合、隣り合う横線材間に架設可能の長さを有し、該変向部に該縦線材を跨架させるための傾斜部を備えているので、直線部は上下の横線材間に安定して架設され、傾斜部により縦線材の背面側から縦線材を跨がせるので縦線材に対する取付けも確実で、下垂緑化材を格子体に安定して配置できる。
【００１９】
請求項５によれば、該縦線材と該横線材の少なくとも一方は波形で、該縦線材と該横線材は該一方の線材の波頭部において交差部を有しているので、横線材の波頭部を緑化面から起立させた状態に該一方の線材を配置すれば、緑化面と波頭部間に隙間が出来るので、一般に壁面との間に隙間を保って生育する下垂植物に対し、その誘導エリアを生育通路に提供でき、かつ後付けが可能となる。
【００２０】
請求項６によれば、該交差部に、該直線部、該横線材及び該縦線材を密接に抑止する抑え部材が配設されているので、下垂緑化用材の緑化面の格子体に対する配置が確実となり、風圧を受けても下垂緑化用材が格子体から外れる恐れが少なくなる。
【００２１】
請求項７によれば、該抑え部材は線材でＵ字状に構成され、一端に該縦線材と該取付部を跨ぐループを備え、中間に該横線材を潜る屈曲部を備え、他端部は該囲い込み部の下位に伸び、一方の線材部は端部に該縦線材に対する弾接部を備えているので、該屈曲部が該交差部で該横線材の該緑化面側を抱え込み、ループと弾接部が該緑化面側と反対側で該縦線材を弾発的に押さえ込むので、下垂緑化用材は確実に交差部に抑えられ、緑化面から脱落することがない。
【発明を実施するための最良の形態】
【００２２】
図１は本発明にかかる下垂緑化用材の実施例を示す斜面図、図２は平面図、図３は下垂緑化用材の別の実施例を示す斜面図、図４は緑化面に対する配置例で千鳥状配置の場合である。
【００２３】
符号の１は取付部、２は囲い込み部である。取付部１は緑化面Ｇに対する取付用である。囲い込み部２は取付部１を含む面Ｐ１と角度θをなす面Ｐ２上に位置しており、外部に誘導エリア２１を有している。この誘導エリア２１は広幅の受け口２２と狭幅のネック部２３を有し、その平面形状は漏斗断面状で、囲い込み部２は誘導エリア２１とネック部２３を介して連通している。
【００２４】
囲い込み部２の平面形状は自由に設定でき、図示の例では相対する一対の閉鎖形状部２ａが三角形状となっている。誘導エリア２１の平面形状も自由に設定できるが、図示のように、囲い込み部２の平面形状が相対する一対の閉鎖形状部２ａとなっている場合、両閉鎖形部２ａ間に誘導エリア２１を形成できて都合がよい。
【００２５】
この下垂緑化用材を緑化面Ｇに取り付けるやり方も自由である。１例として、緑化面ＧにアンカーボルトＢを埋設しておき、ボルト孔付のコ字形枠板Ｋで取付部１を挟み込み、このコ字形枠板Ｋのボルト孔にボルトを挿通してナットＮで締め付ける。コ字形枠板Ｋは取付部１の回転を阻止する。
この取付により囲い込み部２は緑化面Ｇから前方へ突きだし、下垂植物は囲い込み部２に入り易くなる。下垂植物は一旦入ってしまうと出にくい状態となり、緑化面Ｇの緑化を効果的に行える。
【００２６】
なお、望ましい寸法を例示すると、閉鎖形状部２ａ、２ａ間の外寸ｗ１は１００〜５００ｍｍ、取付部１と閉鎖形状部２ａの先端間の寸法ｗ２は５０〜２００ｍｍ、ネック部２３の間隔ｗ３は８〜１５ｍｍ、ネック部２３の内端と取付部１の間隔ｗ４は１０〜２５ｍｍである。
更に、下垂緑化用材の千鳥状配置の望ましい寸法例は、水平間隔Ｌ１が２５０〜６００ｍｍ、垂直間隔Ｌ２も２５０〜６００ｍｍで、配置数は１ｍ２当たり３〜９個である。
閉鎖形状部２ａ、２ａ間の外寸ｗ１が１００mm以下だと下垂植物Ｐが誘導エリア２１の受け口２２に収まりにくく、外寸ｗ１が５００mm以上だと下垂植物Ｐが受け口２２内で勝手に揺動してしまうのでネック部２３への誘導がしにくくなる。
また、取付部１と閉鎖形状部２ａの先端間の寸法ｗ２が５０mm以下だと、緑化面Ｇから離れて垂下する傾向のある下垂植物Ｐが下垂緑化用材による拘束を受けずに垂下してしまい、またこの先端間の寸法ｗ２が２００mm以上だと緑化面Ｇと下垂植物Ｐとの間隔が大き過ぎて下垂植物Ｐが緑化面Ｇ側から風圧を受け易くなり、下垂植物Ｐの揺動による損傷傾向が増大する。
また、ネック部２３の間隙ｗ３が８mm以下だと下垂植物Ｐが閉鎖形状部２ａに入りにくくなり、１５mm以上だと一たん閉鎖形状部２ａに入った下垂植物Ｐが再び外部へ逃げ出す可能性が大になる。
またネック部２３の内端と取付部１の内面間の間隔ｗ４が１０mm以下だと、折角ネック部２３を通って閉鎖形状部２ａに入り込もうとしている下垂植物Ｐが閉鎖形状部２ａに入りにくくなり、２５mm以上だと閉鎖形状部２ａの一方に入った下垂植物Ｐが他方の閉鎖形状部２ａに移動し易くなり、下垂植物Ｐの損傷を招く。
【００２７】
（請求項２）取付部１と囲い込み部２は線材３で一連に構成され、取付部１は一端の変向部１１で繋がった対称配置の並行の直線部１２を包含し、囲い込み部２は相対する一対の閉鎖形状部２ａを包含している。
この場合、取付部１と囲い込み部２を一本の線材３の折り曲げ加工で形成でき、製作が容易で、緑化面Ｇに取付部１を取付ける際、並行の直線部１２で緑化面Ｇに相対するので、安定性が良好で、下垂植物Ｐは何れの閉鎖形状部２ａに入っても脱出を阻止できる。
【００２８】
（請求項３）取付部１は、面Ｐ１上で現出している二次元の波形部１３となっている。
この場合、取付部１の緑化面Ｇに対する接合は波形部１３の呈する波形面による面接合となるので極めて安定し、緑化面Ｇに波形部１３の数に応じたフックＨを埋設しておけば、波形部１３をこのフックＨに引っ掛けるだけで取付部１を緑化面Ｇに取付けられる。
【００２９】
（請求項４）図５は更に別の形態の下垂緑化用材の例を示してある。この場合、緑化面Ｇが複数の縦線材４と横線材５で格子体６を形成させた基盤Ｇ’に適合するもので、直線部１２は隣り合う横線材５間に架設可能の長さを有し、変向部１１に縦線材４を跨架させるための傾斜部１４を備えている。
この場合、直線部１２は上下の横線材５間に安定して架設され、傾斜部１４により縦線材４の背面側から縦線材４を跨がせるので縦線材４に対する取付けも確実で、下垂緑化用材を格子体６に安定して配置できる。
【００３０】
（請求項５）横線材５は波形で、縦線材４と横線材５は横線材５の波頭部５１に交差部７を有している。
この場合、横線材５の波頭部５１を緑化面Ｇから起立させた状態に配置すれば、波頭部５１と緑化面Ｇ間に空間ができるので、下垂植物を緑化面から浮かせた状態で生育でき、平板状のネットやフェンスの場合のように緑化面との間に空間を形成するための枕等は必要がない。
【００３１】
（請求項６）交差部７に、直線部１２、横線材５及び縦線材４を密接に抑止する抑え部材８が配設されている。
この場合、下垂緑化用材の緑化面Ｇの格子体６に対する配置が確実となり、風圧を受けても下垂緑化用材が格子体から外れる恐れが少なくなる。
【００３２】
（請求項７）抑え部材８は線材８１でＵ字状に構成され、一端に縦線材４と取付部１を跨ぐループ８２を備え、中間に横線材５を潜る屈曲部８３を備え、他端部は囲い込み部２の下位に伸び、一方の線材部８４は端部に縦線材４に対する弾接部８５を備えている。
この場合、屈曲部８３が交差部７で横線材５の緑化面Ｇ側を抱え込み、ループ８２と弾接部８５が緑化面Ｇ側と反対側で縦線材４を弾発的に押さえ込むので、下垂緑化用材は確実に交差部７に抑えられ、緑化面Ｇから脱落することがない。
【００３３】
図６から図１０は、取付部１の直線部１２が隣合う横線材５間に架設される形式の下垂緑化用材を、緑化面Ｇの交差部７に配設する順序を示したもので、図６は斜面図、図７から図１０は何れも正面図である。ここでいう縦横は一例であって、９０°回転する場合にも適用できる。
【００３４】
図６は、下垂緑化用材を交差部７、７に関し架設する第１段階を示す。まず、取付部１を持って囲い込み部２を緑化面Ｇと平行にし、囲い込み部２のネック部２３及び取付部１と囲い込み部２間に形成された湾曲部１５間で縦線材４を跨がせる。次に、図７に示すように、囲い込み部２を誘導エリア２１が狭まる方向へ加圧し、波頭部５１と緑化面Ｇの間をくぐらせて通す。囲い込み部２が波頭部５１をくぐり抜けたところで囲い込み部２を釈放すれば、図８に示すように、囲い込み部２は原状に復す。
【００３５】
図９では、図８で緑化面Ｇに対しほぼ直角に起立している取付部１を、縦線材４とほぼ平行になるように倒す。囲い込み部２は緑化面１に対しほぼ直角に起立するようになる。ここで囲い込み部２を下位の交差部７に近づけると、取付部１の変向部１１は縦線材４に跨ったまま上位の交差部７に近づく。
【００３６】
図１０は下垂緑化用材が交差部７に関し配設された状態である。囲い込み部２を掴んで下位の交差部７に引き寄せながら湾曲部１５を弾発して横線材５を乗り越えさせ、ここで囲い込み部２を釈放すると、湾曲部１５は復元して横線材５に圧接する。一方、変向部１１は上位の交差部７に近づいて停止する。
【００３７】
図１１は交差部７に関し配設される下垂緑化用材の抑え部材８の斜面図、図１２はこの抑え部材８で下垂緑化用材を抑止した状態を示す。この抑え部材８は、下垂緑化用材の囲い込み部２が取付いている交差部７側で、弾接部８５側を開いて下垂緑化用材の取付部１と縦線材４をループ８２で跨がせ、屈曲部８３で横線材５の緑化面１側を潜り通させ、湾曲部１５の両側を通し、弾接部８５を縦線材４に係止する。これで、下垂緑化用材が縦線材４とこれと交差する横線材５の双方に弾発的に抑止されるので、下垂緑化用材は確実に交差部７に関して抑えられ、緑化面Ｇから離脱することがない。
【００３８】
図１３は下垂緑化用材を緑化面Ｇの格子体６にセットした状態の斜面図である。囲い込み部２は緑化面Ｇから起立し、下垂植物の受け入れ準備を完了する。  
【００３９】
図１４はこの下垂緑化用材を用いた植栽の例で、緑化面Ｇに沿う下垂植物Ｐは誘導エリア２１からネック部２３を通って囲い込み部２に取り込まれ、一旦取り込まれた下垂植物Ｐは風圧等を受けても、囲い込み部２から簡単には離脱しない。
【００４０】
図１５は別の形式の下垂緑化用材を示してある。囲い込み部２’の形態が変化したもので、下垂植物Ｐを緑化面Ｇの面側から囲い込み部２’に取り込むようにしている。下垂植物Ｐが緑化面Ｇに近接して垂下するタイプのものに適している。抑え部材８’のループ８２’と反対側の開放部８６は長く延びて囲い込み部２’のネック部２３’の下方に届き、実質的にネック部２３’における下垂植物Ｐの逆止作用を果たす制止部８７を形成している。  
この下垂緑化用材及び抑え部材８’の横線材５や縦線材４の交差部７に関する配設の仕方は既記の例と実質的に変わらないので、説明は省略する。
【図面の簡単な説明】
【００４１】
【図１】本発明にかかる下垂緑化用材の実施例を示す斜面図である。
【図２】平面図である。
【図３】下垂緑化用材の別の例を示す斜面図である。
【図４】使用状態の一例を示す斜面図である。
【図５】下垂緑化用材の更に別の形態の下垂緑化用材の例を示す斜面図である。
【図６】図５に示す下垂緑化用材を格子体６にセットする順序の説明図で、囲い込み部２を緑化面Ｇ上に沿わせ、取付部１の直線部１２間に縦線材４を挟んで起立させた状態を示す。
【図７】囲い込み部２を弾発し、誘導エリア２１を狭めて横線材５の波頭部５１を潜り通す状態の説明図である。
【図８】囲い込み部２が波頭部５１を潜り通った状態の説明図である。
【図９】取付部１を倒し、囲い込み部２を起立させて下位の横線材５に引き寄せた状態の説明図である。
【図１０】囲い込み部２を緑化面Ｇから持ち上げて下位の横線材５を跨がせた状態の説明図である。
【図１１】抑え部材８の具体例を示す斜面図である。
【図１２】下位の横線材５と縦線材４の交点７に関して抑え部材８を介装した状態の説明図である。
【図１３】緑化面Ｇに下垂緑化用材が抑え部材８を用いてセットされた状態の斜面図である。
【図１４】格子体６を備えた基盤Ｇ’の緑化面Ｇを下垂植物によって緑化している状態の斜面図である。
【図１５】本発明に係る下垂緑化用材の更に別の例を示す斜面図である。
【符号の説明】
【００４２】
１      取付部
P1      面
P2      面
１１    変向部
１２    直線部
１３    波形部
１４    傾斜部
２      囲い込み部
Ｇ      緑化面
Ｇ’    基盤
２ａ    閉鎖形状部
２１    誘導エリア
２２    受け口
２３    ネック部
３      線材
４      縦線材
５      横線材
Ｗ      波頭部
６      格子体
７      交差部
８      抑え部材
８１    線材
８２    ループ
８３    屈曲部
８４    線材部
８５    弾接部
８６    開放部
８７    制止部
【図１】
2010075053.tif 000003
【図２】
2010075053.tif 000004
【図３】
2010075053.tif 000005
【図４】
2010075053.tif 000006
【図５】
2010075053.tif 000007
【図６】
2010075053.tif 000008
【図７】
2010075053.tif 000009
【図８】
2010075053.tif 000010
【図９】
2010075053.tif 000011
【図１０】
2010075053.tif 000012
【図１１】
2010075053.tif 000013
【図１２】
2010075053.tif 000014
【図１３】
2010075053.tif 000015
【図１４】
2010075053.tif 000016
【図１５】
2010075053.tif 000017